Podtech/llm-jp-corpus-v4-ja_patent huggingface dataset:
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
ニトリルヒドラターゼ産生微生物を培養するための組成物であって、糖類（ｉ）および有機酸（ｉｉ）を含む、前記組成物。
【請求項２】
前記糖類（ｉ）が単糖類である、請求項１に記載の組成物。
【請求項３】
前記糖類（ｉ）中に含まれる炭素原子数が、少なくとも５であり、好ましくは少なくとも６である、請求項１または２に記載の組成物。
【請求項４】
前記糖類（ｉ）が、グルコース、フルクトース、リボースおよびマンノースからなる群から選択される、請求項１から３までのいずれか１項に記載の組成物。
【請求項５】
前記有機酸（ｉｉ）が、３個以下のカルボキシル基、好ましくは２個以下のカルボキシル基、最も好ましくは１個以下のカルボキシル基を含む、請求項１から４までのいずれか１項に記載の組成物。
【請求項６】
前記有機酸（ｉｉ）が、６個以下の炭素原子、好ましくは４個以下の炭素原子、最も好ましくは３個以下の炭素原子を含む、請求項１から５までのいずれか１項に記載の組成物。
【請求項７】
前記有機酸（ｉｉ）が、乳酸、酒石酸、クエン酸、リンゴ酸およびコハク酸からなる群から選択される、請求項１から６までのいずれか１項に記載の組成物。
【請求項８】
前記糖類（ｉ）と前記有機酸（ｉｉ）との比が、重量で３：７〜７：３である、請求項１から７までのいずれか１項に記載の組成物。
【請求項９】
前記微生物が、ロドコッカス・ロドクラウス（Ｒｈｏｄｏｃｏｃｃｕｓ  ｒｈｏｄｏｃｈｒｏｕｓ）またはロドコッカス・ピリジノボランス（Ｒｈｏｄｏｃｏｃｃｕｓ  ｐｙｒｉｄｉｎｏｖｏｒａｎｓ）の種に属する、請求項１から８までのいずれか１項に記載の組成物。
【請求項１０】
前記ニトリルヒドラターゼが、配列番号１および／または配列番号３に示されるヌクレオチド配列と少なくとも７０％同一であるヌクレオチド配列を含むポリヌクレオチドによりコードされる、請求項１から９までのいずれか１項に記載の組成物。
【請求項１１】
前記ニトリルヒドラターゼが、配列番号２および／または配列番号４に示されるアミノ酸配列と少なくとも７０％同一であるアミノ酸配列を有する、請求項１から１０までのいずれか１項に記載の組成物。
【請求項１２】
ニトリルヒドラターゼ産生微生物を培養するための方法であって、以下：
（ａ）前記微生物と、請求項１から１１までのいずれか１項に記載の組成物とを接触させるステップ；
（ｂ）前記微生物を（ａ）の前記組成物中で培養するステップ
を含む、前記方法。
【請求項１３】
ニトリルヒドラターゼ産生微生物を培養するための、請求項１から１１までのいずれか１項に記載の組成物の使用。
【請求項１４】
（ｃ）培養後に得られた前記微生物を乾燥させるステップ
を更に含む、請求項１２に記載の方法。
【請求項１５】
請求項１２または１４に記載の方法によって得ることができる、微生物。
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
たばこ植物から生成される低減されたタバコ特異的ニトロソアミン（TSNA）レベルを持つたばこ製品であって、前記たばこ植物が、修飾されて、
（i）緩和した硝酸レダクターゼ酵素をコードする配列を含む、緩和した硝酸レダクターゼ酵素をコードする配列から成るもしくは緩和した硝酸レダクターゼ酵素をコードする配列から本質的に成るポリヌクレオチド、
（ii）（i）に記載した前記ポリヌクレオチドによりコードされるポリペプチド、
（iii）緩和した硝酸レダクターゼ酵素を含む、緩和した硝酸レダクターゼ酵素から成るもしくは緩和した硝酸レダクターゼ酵素から本質的に成るポリペプチド、または
（iv）（i）に記載した前記ポリヌクレオチドを含む構築物、ベクター、または発現ベクターを含み、
前記硝酸レダクターゼの発現または活性が対照非修飾たばこ植物と比較して緩和され、  かつ、緩和した硝酸レダクターゼ酵素が、
（a）配列番号4の位置523に相当する位置にアミノ酸置換を含む硝酸レダクターゼポリペプチド または
（b）配列番号4の位置523に相当する位置にアミノ酸置換を含み、配列番号4の位置523のアミノ酸が アスパラギン酸に置換されている硝酸レダクターゼポリペプチドを含む、たばこ製品。
【請求項２】
前記緩和した硝酸レダクターゼ酵素が構成的に活性な硝酸レダクターゼ酵素である、請求項１に記載のたばこ製品。
【請求項３】
たばこ製品が種Nicotiana tabacumのたばこ植物由来の植物材料を備える、請求項1または2に記載のたばこ製品。
【請求項４】
緩和した硝酸レダクターゼをコードする前記ポリヌクレオチドが修飾硝酸レダクターゼポリペプチドをコードする非相同ポリヌクレオチドである、請求項1〜3のいずれか一項に記載のたばこ製品。
【請求項５】
前記非相同ポリヌクレオチドが内在性硝酸レダクターゼ遺伝子と生来的に関連付けられていないプロモーターに連結する、請求項4に記載のたばこ製品。
【請求項６】
前記プロモーターがカリフラワーモザイクウイルス35Sプロモーターである、請求項5に記載のたばこ製品。
【請求項７】
緩和した硝酸レダクターゼをコードする前記ポリヌクレオチドが配列番号5のポリヌクレオチド配列を備える、請求項1〜6のいずれか一項に記載のたばこ製品。
【請求項８】
緩和した硝酸レダクターゼをコードする前記ポリヌクレオチドがゲノム編集システムまたは突然変異原によって修飾された内在性硝酸レダクターゼ遺伝子である、請求項1〜3のいずれか一項に記載のたばこ製品。
【請求項９】
前記ゲノム編集システムが改変CRISPR/Cas系システム、改変転写活性化因子様エフェクターヌクレアーゼ、改変ジンクフィンガーヌクレアーゼ 、または改変メガヌクレアーゼを備える、請求項8に記載のたばこ製品。
【請求項１０】
前記たばこがバーレーたばこである、請求項1〜9のいずれか一項に記載のたばこ製品。
【請求項１１】
前記硝酸レダクターゼ酵素が緩和されていない対照たばこ植物由来のたばこ製品と比較して低減されたタバコ特異的ニトロソアミン（TSNA）レベルを持つ、請求項1〜10のいずれか一項に記載のたばこ製品。
【請求項１２】
全TSNAレベルが前記たばこ植物の葉で測定され、
（a）前記葉が新鮮に収穫され、
（b）前記葉が乾燥、保存もしくは加工され、または 
（c）前記葉が空気乾燥されている、請求項11に記載のたばこ製品。
【請求項１３】
前記たばこ製品の少なくとも1つのTSNAのレベルが、少なくとも1つのTSNAの対照レベルと比較して低減され、少なくとも1つのTSNAがN-ニトロソノルニコチン(NNN)、4-(メチルニトロソアミノ)-1-(3-ピリジル)-1-ブタノン(NNK)、N-ニトロソアナバシン(NAB)、N-ニトロソアナタビン(NAT)、およびそれらの組み合わせから成る群から選択される、請求項11または12に記載のたばこ製品。
【請求項１４】
全TSNAレベルが少なくとも50%減少する、請求項11〜13のいずれか一項に記載のたばこ製品。
【請求項１５】
TSNAレベルが前記たばこ植物の葉の燃焼から得られる煙で測定される、請求項11に記載のたばこ製品。
【請求項１６】
煙の全TSNAレベルが少なくとも70%減少する、請求項15に記載のたばこ製品。
【請求項１７】
NNNのレベルが約90%減少する、請求項13〜16のいずれか一項に記載のたばこ製品。
【請求項１８】
NNKのレベルが約66%減少する、請求項13〜17のいずれか一項に記載のたばこ製品。
【請求項１９】
NABのレベルが約92%減少する、請求項13〜18のいずれか一項に記載のたばこ製品。
【請求項２０】
NATのレベルが約88%減少する、請求項13〜19のいずれか一項に記載のたばこ製品。
【請求項２１】
前記たばこ植物が修飾ノルニコチン経路遺伝子をさらに備える、請求項1〜20のいずれか一項に記載のたばこ製品。
【請求項２２】
修飾ノルニコチン経路遺伝子が修飾ニコチンデメチラーゼ遺伝子またはチトクロームP450遺伝子を備える、請求項21に記載のたばこ製品。
【請求項２３】
前記たばこ植物が修飾CYP82E4または修飾CYP82E10遺伝子を備える、請求項21または22に記載のたばこ製品。
【請求項２４】
前記修飾CYP82E4遺伝子または修飾CYP82E10遺伝子が不活性化される、請求項23に記載のたばこ製品。
【請求項２５】
たばこ製品の製造方法であって、修飾たばこ植物の葉の燃焼から得られる煙で測定されるTSNAレベルが非修飾たばこ植物の燃焼から得られる煙で測定されるTSNAレベルと比較して低減され、
（a）たばこ植物が、
（i）緩和した硝酸レダクターゼ酵素をコードする配列を含む、緩和した硝酸レダクターゼ酵素をコードする配列から成るもしくは緩和した硝酸レダクターゼ酵素をコードする配列から本質的に成るポリヌクレオチド、
（ii）（i）に記載した前記ポリヌクレオチドによりコードされるポリペプチド、
（iii）緩和した硝酸レダクターゼ酵素を含む、緩和した硝酸レダクターゼ酵素から成るもしくは緩和した硝酸レダクターゼ酵素から本質的に成るポリペプチド、または
（iv）（i）に記載した前記ポリヌクレオチドを含む構築物、ベクター、または発現ベクターを含むように修飾すること、ここで、
前記硝酸レダクターゼの発現または活性が対照非修飾たばこ植物と比較して緩和され、
かつ、前記緩和した硝酸レダクターゼ酵素が、
（Ｉ）配列番号4の位置523に相当する位置にアミノ酸置換を含む硝酸レダクターゼポリペプチド、または
（ＩＩ）配列番号4の位置523に相当する位置にアミノ酸置換を含み、配列番号4の位置523のアミノ酸が アスパラギン酸に置換されている、硝酸レダクターゼポリペプチドを含む、
（b）前記修飾したたばこ植物からたばこ葉を収穫すること、
（c）および前記収穫した葉からたばこ製品を製造することを備える、方法。
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
茶シロップを生成する方法であって、
−植物材料及び／または植物抽出物を熱水と接触させて、茶を生成することであって、前記熱水中の前記植物材料及び／または植物抽出物の濃度が、１リットル当たり少なくとも５０グラムである、生成することと、
−前記茶を濾過して、茶濾液を生成することと、
−前記茶濾液に少なくとも５０°Ｂｘのブリックス値をもたらすのに十分な濃度の砂糖を添加することと、
−前記茶または前記茶濾液のいずれかのｐＨを２．８〜４．５の間まで低下させることによって、水分活性が０．９０未満である茶シロップを生成することと、を含む、方法。
【請求項２】
前記熱水中の植物材料及び／または植物抽出物の濃度が、１リットル当たり約２００〜２５０グラムである、請求項１に記載の方法。
【請求項３】
前記植物材料及び／または植物抽出物を少なくとも５０℃の熱水と接触させて、茶を生成する、請求項１または２に記載の方法。
【請求項４】
前記茶がまだ熱い間に、前記茶が濾過される、請求項１〜３のいずれか１項に記載の方法。
【請求項５】
前記茶がまだ少なくとも３０℃である間に、前記茶が濾過される、請求項４に記載の方法。
【請求項６】
砂糖が、砂糖対茶濾液の重量によって、少なくとも１：１の割合で前記茶濾液に添加される、請求項１〜５のいずれか１項に記載の方法。
【請求項７】
砂糖が、砂糖対茶濾液の重量によって、約２：１の割合で前記茶濾液に添加される、請求項１〜６のいずれか１項に記載の方法。
【請求項８】
前記茶濾液のｐＨが、酸、好ましくは、クエン酸、リンゴ酸、酒石酸、アスコルビン酸、またはリン酸と前記濾液を接触させることよって低下される、請求項１〜７のいずれか１項に記載の方法。
【請求項９】
前記方法によって生成される前記茶シロップの水分活性が、０．８５未満である、請求項１〜８のいずれか１項に記載の方法。
【請求項１０】
前記方法が、貯蔵のために容器に前記茶シロップを充填することを含み、前記茶シロップが、充填前に少なくとも１００℃まで加熱される、請求項１〜９のいずれか１項に記載の方法。
【請求項１１】
前記茶濾液から茶クリームを除去する工程を含まない、請求項１〜１０のいずれか１項に記載の方法。
【請求項１２】
冷茶を生成する方法であって、
請求項１〜１１のいずれか１項に記載の茶シロップを生成する方法を含み、
消費前に前記茶シロップを水で希釈して、冷茶を生成することをさらに含み、前記冷茶中の水対茶シロップの比率が、少なくとも１２：１である、方法。
【請求項１３】
前記冷茶中の水対茶シロップの比率が、２０：１〜２５：１の間である、請求項１２に記載の方法。
【請求項１４】
前記希釈された冷茶のｐＨが、４．２〜６．５の範囲内である、請求項１２または１３に記載の方法。
【請求項１５】
前記希釈された冷茶の砂糖濃度が、６％（ｗ／ｗ）未満である、請求項１２〜１４のいずれか１項に記載の方法。
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
完全型免疫グロブリンタイプの抗体であって、前記抗体は細胞を透過しそして細胞質に位置する抗体を利用して、細胞の細胞質の中で、活性化ＲＡＳを抑制する方法であって、前記活性化ＲＡＳはＧＴＰ結合ＲＡＳ（ＲＡＳ−ＧＰＴ）であり、
前記抗体は、ＲＡＳ−ＧＴＰに特異的に結合する重鎖可変領域（ＶＨ）、及び生細胞を透過し、細胞質に位置する能力を有する軽鎖可変領域（ＶＬ）を含み、
前記重鎖可変領域（ＶＨ）は、
配列番号８、１１、１４、１７、２０、２３及び２６からなる群から選択されたアミノ酸配列と少なくとも９０％の相同性を有するアミノ酸配列を含むＣＤＲ１；
配列番号９、１２、１５、１８、２１、２４及び２７からなる群から選択されたアミノ酸配列と少なくとも９０％の相同性を有するアミノ酸配列を含むＣＤＲ２；及び
配列番号１０、１３、１６、１９、２２、２５及び２８からなる群から選択されたアミノ酸配列と少なくとも９０％の相同性を有するアミノ酸配列を含むＣＤＲ３を含み、そして
前記軽鎖可変領域（ＶＬ）は、
配列番号３２のアミノ酸配列と少なくとも９０％の相同性を有するアミノ酸配列を含むＣＤＲ１；及び
配列番号３４及び４０からなる群から選択されたアミノ酸配列と少なくとも９０％の相同性を有するアミノ酸配列を含むＣＤＲ３を含み、
前記軽鎖可変領域のＮ末端から２番目および４番目のアミノ酸がそれぞれロイシン（Ｌ）およびメチオニン（Ｍ）で置き換えられた前記方法（但し、前記アミノ酸位置は、カバット（Ｋａｂａｔ）の番号付けシステムに従う）。
【請求項２】
前記活性化ＲＡＳ（ＲＡＳ−ＧＴＰ）が野生型又は変異型である、請求項１に記載の方法。
【請求項３】
前記完全型免疫グロブリンタイプ抗体は、細胞質内においてＲＡＳ−ＧＴＰに結合し、そして細胞質内において、ＲＡＳ−ＧＴＰのＢ−Ｒａｆ、Ｃ−ＲａｆまたはＰＩ３Ｋとの結合を抑制する請求項１に記載の方法。
【請求項４】
細胞を透過しそして細胞質に位置する能力及び細胞質内で特異的にＲＡＳ−ＧＴＰに結合する能力を有する完全型免疫グロブリンタイプの抗体であって、
前記抗体は、細胞質内で特異的に活性化ＲＡＳに結合する重鎖可変領域（ＶＨ）、及び生細胞を透過し、細胞質に位置する能力を有する軽鎖可変領域を（ＶＬ）を含み、
前記重鎖可変領域（ＶＨ）は、
配列番号８、１１、１４、１７、２０、２３及び２６からなる群から選択されたアミノ酸配列と少なくとも９０％の相同性を有するアミノ酸配列を含むＣＤＲ１；
配列番号９、１２、１５、１８、２１、２４及び２７からなる群から選択されたアミノ酸配列と少なくとも９０％の相同性を有するアミノ酸配列を含むＣＤＲ２；及び
配列番号１０、１３、１６、１９、２２、２５及び２８からなる群から選択されたアミノ酸配列と少なくとも９０％の相同性を有するアミノ酸配列を含むＣＤＲ３を含み、そして
前記軽鎖可変領域は、
配列番号３２のアミノ酸配列と少なくとも９０％の相同性を有するアミノ酸配列を含むＣＤＲ１；及び
配列番号３４及び４０からなる群から選択されたアミノ酸配列と少なくとも９０％の相同性を有するアミノ酸配列を含むＣＤＲ３を含み、
前記軽鎖可変領域のＮ末端から２番目および４番目のアミノ酸がそれぞれロイシン（Ｌ）およびメチオニン（Ｍ）で置き換えられた前記抗体（但し、前記アミノ酸位置は、カバット（Ｋａｂａｔ）の番号付けシステムに従う）。
【請求項５】
前記抗体は、生細胞に能動的に浸透して細胞質でＲＡＳ−ＧＴＰに特異的に結合する請求項４に記載の抗体。
【請求項６】
前記軽鎖可変領域（ＶＬ）が、エンドサイトーシスを受け、そしてその後にエンドソームを脱出することによって、生細胞を透過しそして細胞質に位置する、請求項１に記載の方法又は請求項４に記載の抗体。
【請求項７】
前記重鎖可変領域は、配列番号１〜７からなる群から選択されたアミノ酸配列を含む請求項１に記載の方法又は請求項４に記載の抗体。
【請求項８】
前記軽鎖可変領域のＮ末端から９、１０、１３、１５、１７、１９、２１、２２、４２、４５、５８、６０、７９、および８５番目のアミノ酸がそれぞれセリン（Ｓ）、セリン（Ｓ）、アラニン（Ａ）、バリン（Ｖ）、アスパラギン酸（Ｄ）、バリン（Ｖ）、イソロイシン（Ｉ）、トレオニン（Ｔ）、リジン（Ｋ）、リジン（Ｋ）、バリン（Ｖ）、セリン（Ｓ）、グルタミン（Ｑ）およびトレオニン（Ｔ）で置き換えられた請求項１に記載の方法又は請求項４に記載の抗体（但し、前記アミノ酸位置は、カバット（Ｋａｂａｔ）の番号付けシステムに従う）。
【請求項９】
前記軽鎖可変領域のＮ末端から８９番目および９１番目のアミノ酸がそれぞれグルタミン（Ｑ）およびチロシン（Ｙ）で置き換えられた請求項１に記載の方法又は請求項４に記載の抗体（但し、前記アミノ酸位置は、カバット（Ｋａｂａｔ）の番号付けシステムに従う）。
【請求項１０】
前記軽鎖可変領域は、配列番号２９、３０および３１からなる群から選択されたアミノ酸配列を含む請求項１に記載の方法又は請求項４に記載の抗体。
【請求項１１】
（１）ＲＡＳ−ＧＴＰに結合できる重鎖可変領域のライブラリーを発現する工程；
（２）ＧＴＰが結合されたＲＡＳに前記ライブラリー中のＶＨ領域を結合させる工程；及び
（３）前記ＧＴＰが結合されたＲＡＳと前記ＶＨ領域との間の結合の親和度を測定する工程
を含み、
前記重鎖可変領域（ＶＨ）のライブラリーが、
ＣＤＲ１領域に対応する重鎖可変領域の３１番〜３３番アミノ酸残基；
ＣＤＲ２領域に対応する重鎖可変領域の５０番及び５２番〜５６番アミノ酸残基；及び
ＣＤＲ３領域に対応する重鎖可変領域の９５番〜１００番アミノ酸残基
を含むアミノ酸残基における突然変異を含む、
ＲＡＳ−ＧＴＰに特異的に結合する重鎖可変領域（ＶＨ）のスクリーニング方法。
【請求項１２】
前記抗体が、ペプチド、タンパク質、小分子薬物、ナノ粒子及びリポソームからなる群から選択された生体活性分子に融合した、請求項４〜１０のいずれか一項に記載の抗体。
【請求項１３】
前記ペプチドが、配列番号４１で表されるアミノ酸配列を含むＲＧＤ４Ｃ、又は配列番号４２で表されるアミノ酸配列を含むＲＧＤ１０である、請求項１２に記載の抗体。
【請求項１４】
癌又は腫瘍の治療又は予防方法に使用するための、請求項４〜１０及び１２〜１３のいずれか一項に記載の抗体。
【請求項１５】
請求項４〜１０のいずれか一項に記載の抗体をコードするポリヌクレオチド。
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
連続流に基づく有機分子の酵素処理のための酵素処理プラントであって、酵素処理領域を含み、該酵素処理領域が、乱流を発生させて反応混合物を混合しかつ該反応混合物が乱流生成パイプを通って流れているときの粒子の沈殿を防止するための、繰り返し変化する中心線および／または繰り返し変化する横断面を有する該乱流生成パイプを含み、該酵素処理プラントおよび該酵素処理領域が、該反応混合物を15分以上の反応時間の間、該酵素処理領域内で乱流に供するように設計されている、プラント。
【請求項２】
前記反応時間が30分超である、請求項１に記載のプラント。
【請求項３】
前記乱流生成パイプが、変化する横断面積を有する、請求項１または２に記載のプラント。
【請求項４】
前記乱流生成パイプが波形パイプである、請求項１〜３のいずれか１項に記載のプラント。
【請求項５】
前記乱流生成パイプが、数々の概念的繰り返し単位を含み、該繰り返し単位の数が10より大きく、より好ましくは20より大きく、最も好ましくは50より大きい、請求項１〜４のいずれか１項に記載のプラント。
【請求項６】
前記プラントが、前記乱流生成パイプを通る前記反応混合物の流速が2m/s未満、場合によっては1m/s未満、場合によっては0.5m/s未満である状態で作動するように設計されている、請求項１〜５のいずれか１項に記載のプラント。
【請求項７】
前記酵素処理領域が、全長が少なくとも50m、場合によっては少なくとも100mである1つ以上の乱流生成パイプを含む、請求項１〜６のいずれか１項に記載のプラント。
【請求項８】
前記乱流生成パイプの平均直径が、20mm〜200mmの範囲内、好ましくは40mm〜100mmの範囲内、最も好ましくは50mm〜90mmの範囲内にある、請求項１〜７のいずれか１項に記載のプラント。
【請求項９】
前記乱流生成パイプ内での前記反応混合物の流れが、1000未満のレイノルズ数、より好ましくは800未満のレイノルズ数、最も好ましくは600未満のレイノルズ数において乱流となる、請求項１〜８のいずれか１項に記載のプラント。
【請求項１０】
前記乱流生成パイプが、該パイプの内面に付着した固定化酵素の層を含む、請求項１〜９のいずれか１項に記載のプラント。
【請求項１１】
前記反応混合物の特性を変化させる試薬を導入するための注入地点を含み、好ましくは該試薬が酸、塩基または水である、請求項１〜１０のいずれか１項に記載のプラント。
【請求項１２】
前記乱流生成パイプの少なくとも一部を加熱するための熱交換器を含む、請求項１〜１１のいずれか１項に記載のプラント。
【請求項１３】
分離機システムを含み、好ましくは該分離機システムが、油および油溶性成分の流れと、水溶性成分の流れと、沈殿物の流れとを産出するように作動可能な三相分離型デカンター、ならびに／または遠心分離機および／もしくはフィルターを含む、請求項１〜１２のいずれか１項に記載のプラント。
【請求項１４】
前記プラントがモジュール式システムである、請求項１〜１３のいずれか１項に記載のプラント。
【請求項１５】
請求項１〜１４のいずれか１項に記載のプラントを装備した船舶。
【請求項１６】
乱流生成パイプを含む第1酵素処理領域内に反応混合物を通すことを含む、有機分子の酵素処理方法であって、該乱流生成パイプが、繰り返し変化する中心線および／または繰り返し変化する横断面を有し、該乱流生成パイプにより発生した乱流が、該反応混合物を混合しかつ該混合物が該乱流生成パイプを通って流れているときの粒子の沈殿を防止するために、用いられ、該反応混合物が、15分以上の反応時間の間、該酵素処理領域内で乱流に供せられる、方法。
【請求項１７】
請求項１〜１５のいずれか１項に記載の装置を使用することを含む、請求項１６に記載の方法。
【請求項１８】
前記第1酵素処理領域の下流にある第2酵素処理領域内に前記反応混合物を通すことを含み、該第2酵素処理領域内で行われる化学反応が、該第1酵素処理領域内で行われる化学反応とは異なる、請求項１６または１７に記載の方法。
【請求項１９】
前記反応混合物が、鳥、魚、甲殻類、軟体動物、哺乳動物、海水性および淡水性の藻類、酵母、または油糧種子から選択される原料を含む、請求項１６、１７または１８に記載の方法。
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
臓器に関係する疾患を有する患者における免疫細胞をトラッキングするためのシステムであって、
生体適合性の磁性ナノ粒子を含み、１０００ｎｍより大きい粒径の粒子を含まない水性懸濁液であって、該生体適合性の磁性ナノ粒子が、それぞれ１種又は複数種の生体適合性ポリマーによって覆われている超常磁性コアを含み、該生体適合性ポリマーのそれぞれが、ポリエチレングリコール基、シラン基、及び該ポリエチレングリコール基と該シラン基とを共有結合を介して連結するリンカーを有する、水性懸濁液を含む、システム。
【請求項２】
前記疾患は、癌又は移植された臓器の拒絶反応である、請求項１に記載のシステム。
【請求項３】
前記移植された臓器は、心臓又は腎臓である、請求項２に記載のシステム。
【請求項４】
前記癌は、リンパ腫である、請求項２に記載のシステム。
【請求項５】
前記臓器は、心臓、腎臓又はリンパ節である、請求項１〜４のいずれかに記載のシステム。
【請求項６】
前記超常磁性コアは、酸化鉄、酸化コバルト、酸化ニッケル又はそれらの組合せを含み、前記ポリエチレングリコール基は、５個〜１０００個のオキシエチレン単位を有し、前記シラン基は、Ｃ１〜Ｃ１０アルキレン基を含み、かつ前記リンカーは、Ｏ、Ｓ、Ｓｉ、Ｃ１〜Ｃ６アルキレン、２個のカルボニル基及び２個〜２０個の炭素原子を含むカルボニル部、又は以下の式：
【化１】
2017529119.tif 000001
の１つを有する基であり、前記式中、ｍ、ｎ、ｐ、ｑ及びｔはそれぞれ独立して１〜６であり、ＷはＯ、Ｓ又はＮＲｂであり、Ｌ１、Ｌ３、Ｌ５、Ｌ７及びＬ９はそれぞれ独立して結合、Ｏ、Ｓ又はＮＲｃであり、Ｌ２、Ｌ４、Ｌ６、Ｌ８及びＬ１０はそれぞれ独立して結合、Ｏ、Ｓ又はＮＲｄであり、かつＶはＯＲｅ、ＳＲｆ又はＮＲｇＲｈであり、ここで、Ｒａ、Ｒｂ、Ｒｃ、Ｒｄ、Ｒｅ、Ｒｆ、Ｒｇ及びＲｈはそれぞれ独立してＨ、ＯＨ、Ｃ１〜Ｃ１０オキシ脂肪族ラジカル、Ｃ１〜Ｃ１０一価脂肪族ラジカル、Ｃ１〜Ｃ１０一価複素脂肪族ラジカル、一価アリールラジカル、又は一価ヘテロアリールラジカルである、請求項１〜５のいずれかに記載のシステム。
【請求項７】
前記生体適合性の磁性ナノ粒子は、それぞれ１０ｎｍ〜１０００ｎｍの粒径を有し、かつ５０〜４００の横磁気緩和速度を有する、請求項１〜６のいずれかに記載のシステム。
【請求項８】
前記生体適合性の磁性ナノ粒子は、それぞれ１５ｎｍ〜２００ｎｍの粒径を有し、かつ１２０〜４００の横磁気緩和速度を有する、請求項１〜７のいずれかに記載のシステム。
【請求項９】
前記超常磁性コアは、超常磁性酸化鉄ナノ粒子であり、前記ポリエチレングリコール基は、１０個〜２００個のオキシエチレン単位を有し、前記シラン基は、Ｃ３〜Ｃ１０アルキレンを含み、かつ前記リンカーは、以下の式：
【化２】
2017529119.tif 000002
のカルボニル部である、請求項１〜８のいずれかに記載のシステム。
【請求項１０】
前記超常磁性コアは、以下の式：
【化３】
2017529119.tif 000003
（式中、
ＲはＨ、Ｃ１〜Ｃ６アルキル基、Ｃ２〜Ｃ６アルケニル基、Ｃ２〜Ｃ６アルキニル基、Ｃ３〜Ｃ１０シクロアルキル基、Ｃ１〜Ｃ１０ヘテロシクロアルキル基、アリール基、ヘテロアリール基、Ｃ１〜Ｃ１０カルボニル基、又はＣ１〜Ｃ１０アミン基であり、
Ｌはリンカーであり、
ｍは１〜１０であり、かつ、
ｎは５〜１０００である）を有する１種又は複数種の生体適合性ポリマーによって覆われている、請求項１〜９のいずれかに記載のシステム。
【請求項１１】
前記超常磁性コアは、以下の式：
【化４】
2017529119.tif 000004
（式中、
Ｒ１はＨ、Ｃ１〜Ｃ６アルキル基、Ｃ２〜Ｃ６アルケニル基、Ｃ２〜Ｃ６アルキニル基、Ｃ３〜Ｃ１０シクロアルキル基、Ｃ１〜Ｃ１０ヘテロシクロアルキル基、アリール基、ヘテロアリール基、Ｃ１〜Ｃ１０カルボニル基、又はＣ１〜Ｃ１０アミン基であり、
Ｒ２はＨ、Ｃ１〜Ｃ６アルキル、Ｃ２〜Ｃ６アルケニル、Ｃ２〜Ｃ６アルキニル、Ｃ３〜Ｃ１０シクロアルキル、Ｃ１〜Ｃ１０ヘテロシクロアルキル、アリール又はヘテロアリールであり、
ｍは１〜１０であり、かつ、
ｎは５〜１０００である）を有する１種又は複数種の生体適合性ポリマーによって覆われている、請求項１〜１０のいずれかに記載のシステム。
【請求項１２】
前記疾患は、移植された心臓又は腎臓の拒絶反応であり、前記超常磁性コアは、超常磁性酸化鉄ナノ粒子であり、前記ポリエチレングリコール基は、１０個〜２００個のオキシエチレン単位を有し、前記シラン基は、Ｃ３〜Ｃ１０アルキレンを含み、かつ前記リンカーは、以下の式：
【化５】
2017529119.tif 000005
のカルボニル部である、請求項１〜１１のいずれかに記載のシステム。
【請求項１３】
Ｒ１はＨであり、Ｒ２はＨ、Ｃ１〜Ｃ６アルキル基、Ｃ１〜Ｃ１０カルボニル基又はＣ１〜Ｃ１０アミン基であり、ｍは３〜１０であり、かつｎは１０〜２００である、請求項１〜１２に記載のシステム。
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
磁気共鳴イメージング勾配コイルアセンブリであって、
円筒コイルキャリアチューブであって、前記円筒コイルキャリアチューブが、内側表面及び外側表面を有し、前記円筒コイルキャリアチューブが、円筒対称軸を有し、前記円筒コイルキャリアチューブが、中心を有し、前記円筒コイルキャリアチューブが、前記円筒コイルキャリアチューブの前記内側表面に凹み形成されたフォトン検出器リングレセプタクルを有し、前記フォトン検出器リングレセプタクルが、前記中心を中心とし、前記フォトン検出器リングレセプタクルが、前記円筒コイルキャリアチューブから形成された側壁及び前記円筒コイルキャリアチューブから形成された堅固な後壁を有する、円筒コイルキャリアチューブと、
前記円筒コイルキャリアチューブに取り付けられる磁気共鳴イメージング勾配コイルの組であって、前記磁気共鳴イメージング勾配コイルアセンブリが、１又は複数のケーブルをフォトン検出器リングに接続するためのコネクタを更に有し、前記１又は複数のケーブルが、前記円筒コイルキャリアチューブの前記外側表面のチャネルの少なくとも一部を通ってルーティングされる、磁気共鳴イメージング勾配コイルの組と、
を有する磁気共鳴イメージング勾配コイルアセンブリ。
【請求項２】
前記円筒コイルキャリアチューブが、一体型のチューブとして形成される、請求項１に記載の磁気共鳴イメージング勾配コイルアセンブリ。
【請求項３】
前記磁気共鳴イメージング勾配コイルの組が、前記円筒コイルキャリアチューブの前記内側表面、前記円筒コイルキャリアチューブの前記外側表面、及び前記フォトン検出器リングレセプタクルの前記側壁上に、複数の層として提供される、請求項１又は２に記載の磁気共鳴イメージング勾配コイルアセンブリ。
【請求項４】
前記磁気共鳴イメージング勾配コイルが、スプリットされた勾配コイルを形成し、前記スプリットされた勾配コイルが、堅固な後壁によって結合される、請求項１、２又は３に記載の磁気共鳴イメージング勾配コイルアセンブリ。
【請求項５】
前記磁気共鳴イメージング勾配コイルアセンブリが、前記フォトン検出器リングレセプタクルに収容されるフォトン検出器リングを有する、請求項１乃至４のいずれか１項に記載の磁気共鳴イメージング勾配コイルアセンブリ。
【請求項６】
前記フォトン検出器リングが、前記円筒コイルキャリアチューブの内側表面と同じ高さである、請求項５に記載の磁気共鳴イメージング勾配コイルアセンブリ。
【請求項７】
前記フォトン検出器リングがＰＥＴ又はＳＰＥＣＴ検出器リングである、請求項１乃至６のいずれか１項に記載の磁気共鳴イメージング勾配コイルアセンブリ。
【請求項８】
前記磁気共鳴イメージング勾配コイルアセンブリが更に、前記フォトン検出器リングを支持する振動減衰素子、前記フォトン検出器リングを前記円筒コイルキャリアチューブにアラインするためのアライメントピン、前記フォトン検出器リングを前記円筒コイルキャリアチューブにアラインするためのアライメント素子、及びそれらの組み合わせのうちの１つを有する、請求項１乃至７のいずれか１項に記載の磁気共鳴イメージング勾配コイルアセンブリ。
【請求項９】
前記コネクタは、電力、電気通信リンク、光学通信リンク、冷却剤、空気、及びそれらの組み合わせのうちの１つを供給するために前記フォトン検出器リングに接続される、請求項１乃至８のいずれか１項に記載の磁気共鳴イメージング勾配コイルアセンブリ。
【請求項１０】
前記コネクタが、前記側壁に取り付けられる、請求項９に記載の磁気共鳴イメージング勾配コイルアセンブリ。
【請求項１１】
前記コネクタが、前記堅固な後壁に取り付けられる、請求項９に記載の磁気共鳴イメージング勾配コイルアセンブリ。
【請求項１２】
前記１又は複数のケーブルが、電気ケーブル、光ファイバケーブル、及びそれらの組み合わせいずれか１つを有する、請求項１、９、１０又は１１に記載の磁気共鳴イメージング勾配コイルアセンブリ。
【請求項１３】
前記磁気共鳴イメージング勾配コイルアセンブリが、冷却剤を前記コネクタに供給するための１又は複数の冷却剤チューブを有し、
前記１又は複数の冷却剤チューブが、前記円筒コイルキャリアチューブを通るルーティング、前記円筒コイルキャリアチューブの前記外側表面の溝を通るルーティング、又はそれらの組み合わせをもつ、請求項９乃至１２のいずれか１項に記載の磁気共鳴イメージング勾配コイルアセンブリ。
【請求項１４】
前記磁気共鳴イメージング勾配コイルアセンブリが、前記磁気共鳴イメージング勾配コイルの組及び前記フォトン検出器リングに冷却剤を分配するためのマニホールドを有する、請求項１乃至１３のいずれか１項に記載の磁気共鳴イメージング勾配コイルアセンブリ。
【請求項１５】
磁気共鳴イメージングシステムであって、前記磁気共鳴イメージングシステムが、円筒ボアを有する主磁石を有し、前記磁気共鳴イメージングシステムが更に、請求項１乃至１４のいずれか１項に記載の磁気共鳴イメージング勾配コイルアセンブリを有し、前記磁気共鳴イメージング勾配コイルアセンブリが、前記円筒ボア内に位置付けられている、磁気共鳴イメージングシステムと、
核医学イメージングシステムであって、前記核医学イメージングシステムが、前記磁気共鳴イメージング勾配コイルアセンブリの前記フォトン検出器リングレセプタクルに取り付けられたフォトン検出器リングを有する、核医学イメージングシステムと、
を有する医療機器。
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
ユーザにフィードバックを供給する口腔洗浄システムであって、
電動歯ブラシと、
前記歯ブラシ上又は前記歯ブラシ内にある１又は複数のセンサと、
前記歯ブラシがピックアップされたときを検出するためのセンサと、
ユーザの第１のブラッシングセッションの間に前記１又は複数のセンサから得られるセンサ情報を処理する前記歯ブラシ内にあるプロセッサと、
前記第１のブラッシングセッションの後であり、且つ、前記ユーザの第２のブラッシングセッションの前において、前記歯ブラシがピックアップされたことの検出に応答して前記ユーザにブラッシング情報を伝達する前記プロセッサに応答する前記歯ブラシ上又は前記歯ブラシ内にあるフィードバックシステムと、
を有する、システム。
【請求項２】
前記フィードバックシステムが、前記歯ブラシ上に配置される画像ディスプレイを有する、請求項１記載のシステム。
【請求項３】
前記フィードバックシステムが、前記ユーザに対して、可聴音又はデジタル化音声を供給する、請求項１記載のシステム。
【請求項４】
前記１又は複数のセンサが、歯垢検出センサ、歯茎検出センサ、ブラッシング力センサ、及び、角度検出センサからなるグループから選択される、請求項１記載のシステム。
【請求項５】
分析のためのブラッシング情報を格納するためのメモリを更に含む、請求項１記載のシステム。
【請求項６】
前記プロセッサが、選択された数の前記ユーザの以前のブラッシングセッションからのセンサ情報を処理する、請求項１記載のシステム。
【請求項７】
前記歯ブラシ上にオン／オフスイッチを更に含み、前記フィードバックシステムが、前記第１のブラッシングセッションに続く時間において前記ユーザが前記オン／オフスイッチを活性化した後にブラッシング情報をユーザに伝達する、請求項１記載のシステム。
【請求項８】
ユーザにフィードバックを供給する口腔洗浄方法であって、
電動歯ブラシ内のプロセッサを用いて、ユーザの第１のブラッシングセッションの間に前記歯ブラシ上又は前記歯ブラシ内にある１又は複数のセンサから得られるセンサ情報を処理するステップと、
センサによって、前記歯ブラシがピックアップされたときを検出するステップと、
前記センサによる前記検出に応答して、前記プロセッサに応答する前記歯ブラシ上又は前記歯ブラシ内にあるフィードバックシステムを用いて、前記第１のブラッシングセッションの後であり、且つ、前記ユーザの第２のブラッシングセッションの前において、前記ユーザにブラッシング情報を伝達するステップと、
を有する、方法。
【請求項９】
分析のためのブラッシング情報を格納するステップを更に有する、請求項８記載の方法。
【請求項１０】
前記歯ブラシ上にあるオン／オフスイッチを用いて、前記電動歯ブラシを活性化するステップを更に有し、前記第１のブラッシングセッションに続く時間における活性化後にブラッシング情報をユーザに伝達する、請求項８記載の方法。
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
股関節の運動を補助する方法であって、
ユーザの現在の歩行周期の間にウェアラブルロボットシステムが生成すべき所望のピーク力または積算パワーを判定することと、
前記ウェアラブルロボットシステムがそれに従って作動されて前記所望のピーク力または積算パワーを生成する作動プロファイルを生成することと、
前記股関節の角度のリアルタイム測定値をモニタして前記股関節がいつ最大屈曲角度に達するかを検出することと、
前記股関節の前記角度が前記最大屈曲角度に達したのを検出することに応答して、前記作動プロファイルに従って前記ウェアラブルロボットシステムを作動させて前記ユーザの前記股関節の伸張運動を補助することとを備える、方法。
【誤訳訂正書】
【提出日】平成30年7月30日(2018.7.30)
【誤訳訂正１】
【訂正対象書類名】特許請求の範囲
【訂正対象項目名】全文
【訂正方法】変更
【訂正の内容】
【特許請求の範囲】
【請求項１】
ａ．その内部に磁気アレイが埋め込まれた基材を有するアプリケータであって、前記磁気アレイが、１ｍｍ〜３．５ｍｍのピッチ及び１２ｍＴ〜３０ｍＴの第１の層の磁場の強さを有する、交互に配された磁極の少なくとも１つの双極子ペアの第１の層を含む、アプリケータと、
ｂ．有効量のビタミンＢ３有効成分及び皮膚科学的に許容される担体を含むスキンケア組成物と、を含む美容スキンケア製品。
【請求項２】
前記第１の層が、０．２ｍｍ〜１ｍｍの厚さを有する、請求項１に記載の製品。
【請求項３】
前記第１の層が、２．１ｍｍのピッチ、０．６ｍｍの厚さ、及び２３ｍＴの磁場の強さを有する、請求項１又は２に記載の製品。
【請求項４】
前記基材が皮膚対向面及びその反対側の遠位面を有し、磁束返しが前記遠位面に設けられている、請求項１〜３のいずれか一項に記載の製品。
【請求項５】
前記基材が、鉄、鉄含有材料、コバルト、コバルト含有材料、ストロンチウム、ストロンチウム含有材料、バリウム、バリウム含有材料、ニッケル、ニッケル含有材料、これらの合金及び酸化物、並びにこれらの組み合わせから選択された強磁性材料を含む、請求項１〜４のいずれか一項に記載の製品。
【請求項６】
前記磁気アレイが、前記第１の層から１°〜１７９°の角度でオフセットした、交互に配された磁極の少なくとも１つの双極子ペアの第２の層を更に含み、前記磁極の第２の層が、１ｍｍ〜３．５ｍｍの第２の層のピッチ、及び８ｍＴ〜２４ｍＴの第２の層の磁場の強さを有し、前記第２の層の磁場の強さが、前記第１の層の磁場の強さよりも小さいか又はこれと等しい、請求項１〜５のいずれか一項に記載の製品。
【請求項７】
前記第１及び第２の層の全体の磁場の強さが１３ｍＴ〜３２ｍＴである、請求項６に記載の製品。
【請求項８】
前記第２の層のピッチが前記第１の層のピッチに等しいか又はこれよりも小さい、請求項６又は７に記載の製品。
【請求項９】
前記磁極の第１の層及び第２の層が、前記第１の層の厚さと同等の厚さを有する単一の基材上で磁化される、請求項６又は８に記載の製品。
【請求項１０】
前記第１の層と前記第２の層とが、皮膚対向面及びその反対側の遠位面、並びに前記遠位面に設けられた磁束返しをそれぞれが有する別々の基材上で磁化され、前記第１の層の前記皮膚対向面が、前記第２の層の前記遠位面に隣接して、かつ前記遠位面と平行に配置される、請求項６〜９のいずれか一項に記載の製品。
【請求項１１】
前記磁気アレイが更に、
ａ．０．６ｍｍの第１の層の厚さ、２．１ｍｍの第１の層のピッチ、
ｂ．０．２ｍｍの第２の層の厚さ、１．４９ｍｍの第２の層のピッチを有し、かつ、
ｃ．前記磁気アレイの全体の磁場の強さが２７ｍＴである、請求項６〜１０のいずれか一項に記載の製品。
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
ノズルと、
該ノズルに接続される圧力増大機構であって、標準的な手術室圧力よりも高い圧力で加圧流体を提供するように構成される圧力増大機構と、
該圧力増大機構と前記ノズルとの間の弁と、
加圧流体の流れを、所定の持続時間に亘って、前記圧力増大機構から前記ノズルを通じて医療器具の表面の上に放出するよう、前記弁を制御するように構成される、弁制御機構とを含む、
システム。
【請求項２】
前記弁は、高速弁を含む、請求項１に記載のシステム。
【請求項３】
前記高速弁は、ソレノイド弁又は空圧弁を含む、請求項２に記載のシステム。
【請求項４】
前記弁制御機構は、フットペダル、指ボタン、マウスボタン、又はタッチスクリーンボタンのうちの少なくとも１つを含む、トリガを含む、請求項１に記載のシステム。
【請求項５】
前記所定の持続時間は、約０．５〜５０ミリ秒の範囲内にある、請求項１に記載のシステム。
【請求項６】
前記圧力増大機構は、５０ｐｓｉよりも大きい圧力で前記加圧流体を提供するように構成される、請求項１に記載のシステム。
【請求項７】
前記加圧流体の流れを開始させるために使用される前記高速弁からの過剰な流体を方向変更するように構成されるシャント弁を更に含む、請求項１に記載のシステム。
【請求項８】
前記医療器具は、撮像器具を含む、請求項１に記載のシステム。
【請求項９】
医療器具を洗浄する方法であって、
前記医療器具の表面に亘る加圧流体の流れを開始させること、及び
所定の持続時間の後に前記加圧流体の前記流れを終了させることを含み、
前記加圧流体は、標準的な手術室供給源よりも大きい圧力を有する、
方法。
【請求項１０】
前記加圧流体の前記流れを開始させることは、高速弁をアクティブ化することを含む、請求項９に記載の方法。
【請求項１１】
前記高速弁をアクティブ化することは、前記所定の持続時間の後に終了するよう設定されるタイマを開始させることを更に含む、請求項１０に記載の方法。
【請求項１２】
前記加圧流体の圧力は、５０ｐｓｉよりも大きい、請求項９に記載の方法。
【請求項１３】
前記所定の持続時間は、約０．５〜５０ミリ秒の範囲内にある、請求項９に記載の方法。
【請求項１４】
前記加圧流体の前記流れを開始させることは、空圧弁を開放することを含む、請求項９に記載の方法。
【請求項１５】
前記加圧流体の前記流れを開始させることは、圧電作動ポンプ、サーボモータポンプ、ボイスコイル作動ポンプ、又はソレノイド作動ポンプのうちの１つの使用を含む、請求項９に記載の方法。
【請求項１６】
消費される前記加圧流体の量は、２ｃｃｓ未満の流体である、請求項９に記載の方法。
【請求項１７】
前記加圧流体の前記流れを開始させることは、フットペダル、指ボタン、マウスボタン、又はタッチスクリーンボタンを通じた使用者からの入力に応答して生じる、請求項９に記載の方法。
【請求項１８】
シャント弁を通じて前記加圧流体の前記流れを開始させるために使用される高速弁からの過剰な流体を方向変更することを更に含む、請求項９に記載の方法。
【請求項１９】
前記表面は、撮像ツールのレンズの表面を含む、請求項９に記載の方法。
【請求項２０】
前記加圧流体は、空気、二酸化炭素、及び生理食塩水のうちの少なくとも１つを含む、請求項９に記載の方法。
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
カフベースの振動非侵襲血圧（ＮＩＢＰ）測定に使用する方法において、
測定期間中にＮＩＢＰ測定装置のカフ内の空気の体積を次第に変更するステップと、
前記測定期間中に前記カフの中／外への空気の体積流量の複数の測定値を得るステップと、
前記測定期間中に前記カフ内の空気圧の複数の測定値を得るステップと、
前記カフ内の空気圧の測定値を使用して、前記カフの中／外への空気の体積流量の測定値をカフ圧における体積流量に変換するステップと、
前記カフ内の空気圧の測定の時間微分を決定するステップと、
前記測定期間中に得られた前記体積流量の測定値及び前記空気圧の測定値に基づいて、前記測定期間中の複数の時点における準静的カフコンプライアンスを計算することにより前記準静的カフコンプライアンスとカフ圧との関係を決定するステップであって、前記準静的カフコンプライアンスが、前記時間微分に対する前記カフ圧における体積流量の比として計算される、ステップと、
を有する方法。
【請求項２】
前記測定期間は、前記カフ内の空気の体積が次第に増大される膨張期間と、前記カフ内の空気の体積が次第に減少される収縮期間とを有する、請求項１に記載の方法。
【請求項３】
前記膨張期間中に前記カフ内の空気の体積が変更される速度が、前記収縮期間中に前記カフ内の空気の体積が変更される速度と異なる、請求項２に記載の方法。
【請求項４】
前記収縮期間中に前記カフ内の空気の体積が変更される速度が、一定ではない、請求項２又は３に記載の方法。
【請求項５】
前記カフの中又は外に流れる空気により通過される管の抵抗を決定するのに前記得られた流量の測定値を使用するステップを有する、請求項１乃至４のいずれか一項に記載の方法。
【請求項６】
前記測定期間中に前記カフ内の空気の体積を次第に変更するステップは、前記膨張期間中に前記カフ内の圧力が所定の速度で増大するように前記カフ内への空気の流れを制御し、この後に、前記収縮期間中に前記カフ内の圧力が所定の速度で減少するように前記カフの外への空気の流れを制御するステップを有し、
前記管抵抗を決定するステップが、
前記膨張期間及び前記収縮期間の各々の間の複数の時点において前記カフの体積を計算するステップと、
前記膨張期間中の所定の体積におけるカフ圧と前記収縮期間中の前記所定の体積におけるカフ圧との間の差を計算するステップと、
を有する、請求項２を引用する場合の請求項５に記載の方法。
【請求項７】
前記測定期間中に前記カフ内の空気の体積が変更される速度は、前記測定期間が、対象の少なくとも所定の最小数の心拍を含むように選択される、請求項１乃至６のいずれか一項に記載の方法。
【請求項８】
前記ＮＩＢＰ測定装置が、対象の血圧の測定を取得するように構成され、前記方法が、
前記測定期間中に得られた前記空気圧の測定値及び前記準静的カフコンプライアンスとカフ圧との間の前記決定された関係に基づいて、前記対象の収縮期血圧、前記対象の拡張期血圧及び前記対象の平均血圧の１つ又は複数を計算するステップ、
を有する、請求項１乃至７のいずれか一項に記載の方法。
【請求項９】
前記計算が、追加的に前記決定された管抵抗に基づく、請求項５を引用する場合の請求項８に記載の方法。
【請求項１０】
前記測定期間中に前記カフ内の圧力が変更される速度が、１０ｍｍＨｇ／ｓより大きい、請求項１乃至９のいずれか一項に記載の方法。
【請求項１１】
対象の身体部分に巻きつける膨張可能カフを持つＮＩＰＢ測定装置に対する制御ユニットにおいて、前記制御ユニットは、
前記ＮＩＢＰ測定装置及び流量計に制御信号を送信する少なくとも１つの出力部と、
前記ＮＩＢＰ測定装置及び前記流量計から測定値を受信する少なくとも１つの入力部と、
処理ユニットであって、
測定期間中に前記カフ内の空気の体積を次第に変更し、前記測定期間中に空気圧の複数の測定値を得るように前記ＮＩＢＰ測定装置を制御し、
前記測定期間中に前記カフの中／外への空気の体積流量の複数の測定値を得るように前記流量計を制御し、
前記ＮＩＢＰ測定装置により得られた前記空気圧の測定値及び前記流量計により得られた前記流量の測定値を受信し、
前記カフ内の空気圧の測定値を使用して、前記カフの中／外への空気の体積流量の測定値をカフ圧における体積流量に変換し、
前記カフ内の空気圧の測定値の時間微分を決定し、
前記体積流量の測定値及び前記受信された空気圧の測定値に基づいて、前記測定期間中の複数の時点におけるカフコンプライアンスを計算することにより準静的カフコンプライアンスとカフ圧との間の関係を決定し、ここで前記準静的カフコンプライアンスが、前記時間微分に対する前記カフ圧における体積流量の比として計算される、
当該処理ユニットと、
を有する制御ユニット。
【請求項１２】
振動非侵襲血圧（ＮＩＢＰ）測定に使用するシステムにおいて、
対象の身体部分に巻きつける膨張可能カフを持つＮＩＢＰ測定装置と、
前記カフの中／外への空気の流量を測定する流量計と、
請求項１１に記載の制御ユニットと、
を有するシステム。
【請求項１３】
前記流量計が、少なくとも１つの圧力センサを有し、前記ＮＩＢＰ測定装置が、少なくとも１つの圧力センサを有し、前記流量計に含まれる少なくとも１つの圧力センサが、前記ＮＩＢＰ測定装置にも含まれる、請求項１２に記載のシステム。
【請求項１４】
前記流量計が、２つの圧力センサを有し、前記ＮＩＢＰ測定装置が、２つの圧力センサを有し、前記流量計の２つの圧力センサが、前記ＮＩＢＰ測定装置の２つの圧力センサと同じである、請求項１３に記載のシステム。
【請求項１５】
適切なコンピュータ又はプロセッサにより実行される場合に、前記コンピュータ又はプロセッサが請求項１１に記載の制御ユニットとして動作するように構成されたコンピュータ可読コードを有するコンピュータプログラム。
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
血管内イメージングデバイスであって、
メインカテーテルボディと、
前記メインカテーテルボディの内腔内に位置する回転イメージング要素と、
前記メインカテーテルボディからのびる遠位部であって、ガイドワイヤ内腔と連通するラピッドエクスチェンジポートを持ち、当該ラピッドエクスチェンジポートとガイドワイヤ内腔はガイドワイヤを受けるようなサイズと形状である、遠位部と、
前記ラピッドエクスチェンジポートに隣接して位置する少なくとも一つのＵ字形トラフ補強要素と
を有する、血管内イメージングデバイス。
【請求項２】
前記少なくとも一つの補強要素が前記ラピッドエクスチェンジポートの近位位置から前記ラピッドエクスチェンジポートの遠位位置へのびる、請求項１に記載のデバイス。
【請求項３】
前記少なくとも一つの補強要素が金属、金属合金、及びプラスチックのうち少なくとも一つで形成される、請求項１に記載のデバイス。
【請求項４】
前記少なくとも一つの補強要素が、前記デバイスの断面において前記カテーテルボディの両側に互いに対向して位置される二つの補強要素を有する、請求項１に記載のデバイス。
【請求項５】
前記回転イメージング要素が超音波トランスデューサである、請求項１に記載のデバイス。
【請求項６】
前記回転イメージング要素が光学コヒーレンストモグラフィ要素である、請求項１に記載のデバイス。
【請求項７】
前記ガイドワイヤ内腔が前記メインカテーテルボディの中心軸と同軸にのびる、請求項１に記載のデバイス。
【請求項８】
前記ガイドワイヤ内腔が、前記メインカテーテルボディの中心軸とオフセットされ、ただし平行にのびる、請求項１に記載のデバイス。
【請求項９】
血管内イメージングシステムであって、
血管内イメージングデバイスであって、
メインカテーテルボディと、
前記メインカテーテルボディの内腔内に位置する回転イメージング要素と、
前記メインカテーテルボディからのびる遠位部であって、ガイドワイヤ内腔と連通するラピッドエクスチェンジポートを持ち、当該ラピッドエクスチェンジポートとガイドワイヤ内腔がガイドワイヤを受けるようなサイズと形状である、遠位部と、
前記ラピッドエクスチェンジポートに隣接して位置する少なくとも一つのＵ字形トラフ補強要素と
を含む血管内イメージングデバイスと、
前記血管内イメージングデバイスと通信する処理システムであって、前記血管内イメージングデバイスによって取得されるデータを処理するように構成される処理システムと
を有する、血管内イメージングシステム。
【請求項１０】
前記血管内イメージングデバイスの近位部とインターフェースし、前記処理システムと通信するように構成される患者インターフェースモジュールをさらに有する、請求項９に記載のシステム。
【請求項１１】
前記処理システムと通信するディスプレイをさらに有する、請求項９に記載のシステム。
【請求項１２】
前記少なくとも一つの補強要素が前記ラピッドエクスチェンジポートの近位位置から前記ラピッドエクスチェンジポートの遠位位置へのびる、請求項９に記載のシステム。
【請求項１３】
前記ガイドワイヤ内腔が前記メインカテーテルボディの中心軸と同軸にのびる、請求項９に記載のシステム。
【請求項１４】
前記ガイドワイヤ内腔が前記メインカテーテルボディの中心軸とオフセットされ、ただし平行にのびる、請求項９に記載のシステム。
【請求項１５】
前記少なくとも一つの補強要素が金属、金属合金、及びプラスチックのうち少なくとも一つで形成される、請求項９に記載のシステム。